(57)【要約】  本発明は、車両のキャビン内の空気を清浄化する方法に関する。この方法は、フィルタシステムを通して空気をろ過することを含み、車両は、フッ化冷媒化合物を含む空調回路を備え、フィルタシステムは、ガス流からのフッ化水素の除去に適合したろ過材を備える。本発明はまた、この方法を実施できる車両にも関する。【特許請求の範囲】
【請求項１】
車両のキャビン内の空気を清浄化する方法であって、フィルタシステムを通して空気をろ過することを含み、前記車両は、フッ化冷媒化合物を含む空調回路を備え、前記フィルタシステムは、ガス流からのフッ化水素の除去に適合したろ過材を備える、方法。
【請求項２】
前記ろ過材は、好ましくは、
−  フッ化リチウム、フッ化ナトリウム、フッ化カリウムおよび炭酸ナトリウムなどのアルカリ金属誘導体、
−  水酸化カルシウム、酸化カルシウム、炭酸カルシウム、酸化マグネシウム、炭酸マグネシウム、炭酸バリウム、塩化カルシウム、乳酸カルシウムなどのアルカリ土類金属誘導体、
−  三フッ化クロム、二酸化チタン、二酸化マンガンなどの遷移金属誘導体、
−  アルミナおよびフッ化アルミニウムなどの他の金属誘導体、
−  シリカ、変性シリカ、脱ヒドロキシル化（dehydroxylated）シリカ、シリカエーロゲルなどの半金属誘導体、
−  アルミノケイ酸塩、ゼオライトおよびアルミノリン酸塩などのモレキュラーシーブ、および、
−  上記の組み合わせ
から選択される無機物を含む、請求項１に記載の方法。
【請求項３】
前記ろ過材は、好ましくは、ポリアクリル酸ナトリウムポリマー、スルホン酸基で終端されたペルフルオロビニルエーテル基を含むテトラフルオロエチレンポリマー、ポリオレフィン微多孔膜、およびこれらの組み合わせから選択されるポリマー樹脂を含む、請求項１または２に記載の方法。
【請求項４】
前記ろ過材は、好ましくは、活性炭、炭素モレキュラーシーブ、カーボンナノチューブ、グラフェン、アルミニウムドープグラフェン、ダイヤモンド、およびこれらの組み合わせから選択される炭素系物質を含む、請求項１〜３のいずれか１項に記載の方法。
【請求項５】
前記フッ化冷媒化合物は、クロロフルオロカーボン、ヒドロクロロフルオロカーボン、ヒドロフルオロカーボン、ヒドロフルオロオレフィンおよびこれらの組み合わせから選択され、好ましくは、２，３，３，３−テトラフルオロプロペンである、請求項１〜４のいずれか１項に記載の方法。
【請求項６】
前記ろ過材は、吸着によりガス流からのフッ化水素の除去に適合している、請求項１〜５のいずれか１項に記載の方法。
【請求項７】
前記フィルタシステムは、さらなるガス化合物および／または微粒子の除去に適合したフィルタをさらに備える、請求項１〜６のいずれか１項に記載の方法。
【請求項８】
前記空気は、前記キャビンの外部から前記キャビンの内部へ移動するときにろ過される、請求項１〜７のいずれか１項に記載の方法。
【請求項９】
前記空気は、前記空調回路を含むハウジングの隣に位置する吸気システムを通って移動する、請求項８に記載の方法。
【請求項１０】
前記車両は、自動車、トラック、バス、小型トラック、トラクターまたはＲＶ車である、請求項１〜９のいずれか１項に記載の方法。
【請求項１１】
−  キャビンと、
−  フッ化冷媒化合物を含む空調回路と、
−  フィルタシステムを備える空気清浄化装置であって、前記フィルタシステムは、ガス流からのフッ化水素の除去に適合したろ過材を備える、前記空気浄化装置と
を備える車両。
【請求項１２】
前記ろ過材は、好ましくは、
−  フッ化リチウム、フッ化ナトリウム、フッ化カリウムおよび炭酸ナトリウムなどのアルカリ金属誘導体、
−  水酸化カルシウム、酸化カルシウム、炭酸カルシウム、酸化マグネシウム、炭酸マグネシウム、炭酸バリウム、塩化カルシウム、乳酸カルシウムなどのアルカリ土類金属誘導体、
−  三フッ化クロム、二酸化チタン、二酸化マンガンなどの遷移金属誘導体、
−  アルミナおよびフッ化アルミニウムなどの他の金属誘導体、
−  シリカ、変性シリカ、脱ヒドロキシル化（dehydroxylated）シリカ、シリカエーロゲルなどの半金属誘導体、
−  アルミノケイ酸塩、ゼオライトおよびアルミノリン酸塩などのモレキュラーシーブ、ならびに
−  これらの組み合わせ
から選択される無機物を含む、請求項１１に記載の車両。
【請求項１３】
前記ろ過材は、好ましくは、ポリアクリル酸ナトリウムポリマー、スルホン酸基で終端されたペルフルオロビニルエーテル基を含むテトラフルオロエチレンポリマー、ポリオレフィン微多孔膜、およびこれらの組み合わせから選択されるポリマー樹脂を含む、請求項１１または１２に記載の車両。
【請求項１４】
前記ろ過材は、好ましくは、活性炭、炭素モレキュラーシーブ、カーボンナノチューブ、グラフェン、アルミニウムドープグラフェン、ダイヤモンド、およびこれらの組み合わせから選択される炭素系物質を含む、請求項１１〜１３のいずれか１項に記載の車両。
【請求項１５】
前記フッ化冷媒化合物は、クロロフルオロカーボン、ヒドロクロロフルオロカーボン、ヒドロフルオロカーボン、ヒドロフルオロオレフィンおよびこれらの組み合わせから選択され、好ましくは、２，３，３，３−テトラフルオロプロペンである、請求項１１〜１４のいずれか１項に記載の車両。
【請求項１６】
前記ろ過材は、吸着によるフッ化水素の除去に適合している、請求項１１〜１５のいずれか１項に記載の車両。
【請求項１７】
前記フィルタシステムは、さらなるガス化合物および／または微粒子の除去に適したフィルタをさらに備える、請求項１１〜１６のいずれか１項に記載の車両。
【請求項１８】
前記キャビンの外部から前記キャビンの内部へ空気を通過させる吸気システムを備え、前記空気清浄化装置は前記吸気システム内に位置する、請求項１１〜１７のいずれか１項に記載の車両。
【請求項１９】
前記吸気システムは、前記空調回路を含むハウジングの隣に位置する吸気口を備える、請求項１８に記載の車両。
【請求項２０】
自動車、トラック、バス、小型トラック、トラクターまたはＲＶ車である、請求項１１〜１９のいずれか１項に記載の車両。
【発明の詳細な説明】
【技術分野】
【０００１】
本発明は、車両のキャビン内の空気を清浄化する方法、ならびに空気清浄化システムを備える車両に関する。
【背景技術】
【０００２】
車両用空気清浄化システムは、既知の技術である。このような装置は空気をろ過するように、またフィルタを通過する花粉、埃または排ガスなどの微粒子の大部分を除去するように適合されてきた。特許文献１は、このような空気清浄化システムの一例を提供している。
【０００３】
しかし、従来の空気清浄化システムは、エンジン室内の火災の間に生じる煙およびガスに潜在的に含まれる、有害な汚染物質を十分に除去するように設計されていない。
【０００４】
クロロフルオロカーボン（ＣＦＣ）、ヒドロクロロフルオロカーボン（ＨＣＦＣ）、ヒドロフルオロカーボン（ＨＦＣ）、および、より最近ではヒドロフルオロオレフィン（ＨＦＯ）を含むフッ化有機化合物は、車両の空調システムにおける安全かつ非毒性の冷媒として開発されてきた。
【０００５】
しかし、温度が１２００℃もの値に達し得るエンジン室で火災が起こった場合に、これらのフッ化化合物が、燃焼および／または分解することによって、毒性の強いフッ化水素（ＨＦ）を形成する可能性があるといういくらかの懸念があった。
【０００６】
このような懸念は、特に新規に使用される化合物２，３，３，３−テトラフルオロプロペン（ＨＦＯ−１２３４ｙｆ）に関して述べられてきた。現時点で、このようなリスクが純粋に理論上のものであると考えられるとしても、ＨＦＯ−１２３４ｙｆは可燃性が軽度であるため、依然として、フッ化冷媒化合物を含む空調システムを備える車両の安全性をさらに高めることが望ましい。
【先行技術文献】
【特許文献】
【０００７】
【特許文献１】米国特許出願公開第２００７／００３２１８６号明細書
【発明の概要】
【０００８】
本発明の第１の目的は、フィルタシステムを通して空気をろ過することを含む、車両のキャビン内の空気を清浄化する方法を提供することであり、ここで車両は、フッ化冷媒化合物を含む空調回路を備え、フィルタシステムは、ガス流からのフッ化水素の除去に適合したろ過材を備える。
【０００９】
一実施形態によれば、ろ過材は、好ましくは、
−  フッ化リチウム、フッ化ナトリウム、フッ化カリウムおよび炭酸ナトリウムなどのアルカリ金属誘導体、
−  水酸化カルシウム、酸化カルシウム、炭酸カルシウム、酸化マグネシウム、炭酸マグネシウム、炭酸バリウム、塩化カルシウム、乳酸カルシウムなどのアルカリ土類金属誘導体、
−  三フッ化クロム、二酸化チタン、二酸化マンガンなどの遷移金属誘導体、
−  アルミナおよびフッ化アルミニウムなどの他の金属誘導体、
−  シリカ、変性シリカ、脱ヒドロキシル化（dehydroxylated）シリカ、シリカエーロゲルなどの半金属誘導体、
−  アルミノケイ酸塩、ゼオライトおよびアルミノリン酸塩などのモレキュラーシーブ、ならびに
−  これらの組み合わせ
から選択される無機物を含む。
【００１０】
一実施形態によれば、ろ過材は、好ましくは、ポリアクリル酸ナトリウムポリマー、スルホン酸基で終端されたペルフルオロビニルエーテル基を含むテトラフルオロエチレンポリマー、ポリオレフィン微多孔膜、およびこれらの組み合わせから選択されるポリマー樹脂を含む。
【００１１】
一実施形態によれば、ろ過材は、好ましくは、活性炭、炭素モレキュラーシーブ、カーボンナノチューブ、グラフェン、アルミニウムドープグラフェン、ダイヤモンド、およびこれらの組み合わせから選択される炭素系物質を含む。
【００１２】
一実施形態によれば、フッ化冷媒化合物は、クロロフルオロカーボン、ヒドロクロロフルオロカーボン、ヒドロフルオロカーボン、ヒドロフルオロオレフィンおよびこれらの組み合わせから選択され、好ましくは、２，３，３，３−テトラフルオロプロペンである。
【００１３】
一実施形態によれば、ろ過材は、吸着によるガス流からのフッ化水素の除去に適合している。
【００１４】
一実施形態によれば、フィルタシステムは、さらなるガス化合物および／または微粒子の除去に適合したフィルタをさらに備える。
【００１５】
一実施形態によれば、空気は、キャビンの外部からキャビンの内部へ移動するときにろ過される。
【００１６】
一実施形態によれば、空気は、空調回路を含むハウジングの隣に位置する吸気システムを通って移動する。
【００１７】
一実施形態によれば、車両は、自動車、トラック、バス、小型トラック、トラクターまたはＲＶ車である。
【００１８】
本発明の第２の目的は、車両であって、
−  キャビンと、
−  フッ化冷媒化合物を含む空調回路と、
−  フィルタシステムを備える空気清浄化装置とを備え、フィルタシステムは、ガス流からのフッ化水素の除去に適合したろ過材を備える
車両を提供することである。
【００１９】
一実施形態によれば、ろ過材は、好ましくは、
−  フッ化リチウム、フッ化ナトリウム、フッ化カリウムおよび炭酸ナトリウムなどのアルカリ金属誘導体、
−  水酸化カルシウム、酸化カルシウム、炭酸カルシウム、酸化マグネシウム、炭酸マグネシウム、炭酸バリウム、塩化カルシウム、乳酸カルシウムなどのアルカリ土類金属誘導体、
−  三フッ化クロム、二酸化チタン、二酸化マンガンなどの遷移金属誘導体、
−  アルミナおよびフッ化アルミニウムなどの他の金属誘導体、
−  シリカ、変性シリカ、脱ヒドロキシル化（dehydroxylated）シリカ、シリカエーロゲルなどの半金属誘導体、
−  アルミノケイ酸塩、ゼオライトおよびアルミノリン酸塩などのモレキュラーシーブ、ならびに
−  これらの組み合わせ
から選択される無機物を含む。
【００２０】
一実施形態によれば、ろ過材は、好ましくは、ポリアクリル酸ナトリウムポリマー、スルホン酸基で終端されたペルフルオロビニルエーテル基を含むテトラフルオロエチレンポリマー、ポリオレフィン微多孔膜、およびこれらの組み合わせから選択されるポリマー樹脂を含む。
【００２１】
一実施形態によれば、ろ過材は、好ましくは、活性炭、炭素モレキュラーシーブ、カーボンナノチューブ、グラフェン、アルミニウムドープグラフェン、ダイヤモンド、およびこれらの組み合わせから選択される炭素系物質を含む。
【００２２】
一実施形態によれば、フッ化冷媒化合物は、クロロフルオロカーボン、ヒドロクロロフルオロカーボン、ヒドロフルオロカーボン、ヒドロフルオロオレフィンおよびこれらの組み合わせから選択され、好ましくは、２，３，３，３−テトラフルオロプロペンである。
【００２３】
一実施形態によれば、ろ過材は、吸着によるフッ化水素の除去に適合している。
【００２４】
一実施形態によれば、フィルタシステムは、さらなるガス化合物および／または微粒子の除去に適合したフィルタをさらに備える。
【００２５】
一実施形態によれば、車両は、キャビンの外部からキャビンの内部へ空気を通過させる吸気システムを備え、空気清浄化装置は吸気システム内に位置する。
【００２６】
一実施形態によれば、吸気システムは、空調回路を含むハウジングの隣に位置する吸気口を備える。
【００２７】
一実施形態によれば、車両は、自動車、トラック、バス、小型トラック、トラクターまたはＲＶ車である。
【００２８】
本発明は、フッ化冷媒化合物を含む空調システムを備える車両の安全性を向上させるシステムを提供する。
【００２９】
これは、ガス流からのフッ化水素の除去に適合したフィルタシステムを備える空気清浄化装置によって達成される。したがって、エンジン室で火災が起こった場合、さらには、万が一、フッ化水素がエンジン室から放出され、キャビンに入った場合、運転者または乗客に危害を加えることがないように、前記フッ化水素は空気から除去されるであろう。
【発明を実施するための形態】
【００３０】
本発明を、以下の記述において限定することなくより詳細に説明する。
【００３１】
本発明は、車両の構造用部品に接続または取り付けられることがあり、キャビンの空気をろ過し、好ましくはキャビンに入る空気をろ過する空気清浄化装置に向けられている。
【００３２】
車両のキャビンは、運転者および／または乗客が収容されている密閉空間として画定される。
【００３３】
空気清浄化装置は、通常、ハウジング、および好ましくは固体吸着剤であるろ過材を備えるフィルタシステムを備える。
【００３４】
固体吸着剤は、無機物、ポリマー樹脂および炭素系物質から選択されてもよい。
【００３５】
無機物のうち、ガス流からのＨＦの除去が可能であるとして、以下の材料が提案されてきた。
−  フッ化物、水素化フッ化物、炭酸塩、酸化物または炭酸水素塩などのアルカリ金属（具体的にはＬｉ、Ｎａ、Ｋ）誘導体。特定の例としては、ＬｉＦ、ＮａＦ、ＫＦおよびＮａ２Ｃ０３が挙げられる。
−  フッ化物、塩化物、炭酸塩、酸化物、水酸化物または硫酸塩などのアルカリ土類（具体的にはＭｇ、Ｃａ、Ｂａ、Ｓｒ）誘導体。特定の例としては、Ｃａ（ＯＨ）２、ＣａＯ、ＣａＣＯ３、ＣａＦ２、ＭｇＯ、ＭｇＣＯ３、ＢａＣＯ３、高表面ＣａＣｌ２、乳酸カルシウムなどが挙げられる。
−  フッ化物、酸化物または水酸化物などの遷移金属（具体的にはＴｉ、Ｚｒ、Ｃｒ、Ｍｎ）誘導体。特定の例としては、ＣｒＦ３、ＴｉＯ２およびＭｎＯ２などが挙げられる。
−  アルミナまたはフッ化アルミニウムなどの他の金属（主にＡｌ）誘導体。
−シリカ、変性シリカ、脱ヒドロキシル化（dehydroxylated）シリカまたはシリカエーロゲルなどの半金属（主にＳｉ）誘導体。
−  アルミノケイ酸塩、ゼオライトおよびアルミノリン酸塩（aluminophospahtes）などのモレキュラーシーブ。
【００３６】
これらの物質の全ては、粉末、粒またはフレークとして使用され得る。これらの物質はまた、紙、天然または合成繊維の織布または不織布、スポンジ状ゴムまたはプラスチックに含浸され得る。
【００３７】
ポリマー樹脂のうち、ガス流からのＨＦの除去が可能であるとして、以下のものが提案されてきた。
−  ナフィオン（登録商標）超酸樹脂（スルホン酸基で終端されるペルフルオロビニルエーテル基を含むテトラフルオロエチレンポリマーである）。
−  ポリアクリル酸ナトリウム樹脂。
−  （ポリオレフィン微多孔膜などの）非機能性樹脂を含む様々なイオン交換樹脂。
【００３８】
炭素系物質のうち、ガス流からのＨＦの除去が可能であるとして、以下の材料が提案されてきた。その材料は、活性炭、炭素モレキュラーシーブ、カーボンナノチューブ、グラフェン（およびアルミニウムドープグラフェン）、さらにダイヤモンドである。
【００３９】
物理的特性の観点から、活性炭は高表面領域を伴って製造され得る。また、活性炭は、ペレットなどの使用し易い成形品に圧縮され得る。炭素モレキュラーシーブおよびカーボンナノチューブはまた、製造工程によって決定される細孔径および表面領域を有するので、係争中の特定の特許出願のために選択され得る。
【００４０】
上述の空気清浄化装置は、例えば自動車、トラック、バス、小型トラック、トラクターまたはＲＶ車などの車両において提供される。
【００４１】
車両は、冷媒回路を有する空調システムを備える。冷媒回路は、クロロフルオロカーボン、ヒドロクロロフルオロカーボン、ヒドロフルオロカーボン、ヒドロフルオロオレフィンまたはこれらの組み合わせなどのフッ化冷媒化合物（つまり、熱伝導性化合物）を含む。好ましくは、冷媒化合物はヒドロクロロフルオロカーボンまたはヒドロフルオロオレフィンである。例えば、冷媒回路は、ＨＦＯ−１２３４ｙｆなどのテトラフルオロプロペン化合物を含んでもよい。
【００４２】
ＨＦが冷媒回路から放出された場合（火災が起こった場合）、本発明の空気清浄化装置は、放出されたＨＦがキャビン内部の空気を汚染することを防ぐことができる。こうして、運転者および乗客は守られる。
【００４３】
いくつかの上述の材料は、ＨＦ、およびフッ化冷媒自体（例えば、ＨＦＯ−１２３４ｙｆ）などの他のフッ化化合物のろ過に適合している。他の材料は、さらに具体的に、最も危険な汚染物質であるＨＦの除去にのみ向けられている。これは、例えばＮａＦの場合である。したがって、非ＨＦ汚染物質によるフィルタの飽和のいかなるリスクも回避される。
【００４４】
キャビン内の空気清浄化装置の任意の位置が熟慮され得る。例えば、空気清浄化装置は空気再循環システムに組み込まれてもよい。
【００４５】
しかし、好ましい実施形態によれば、空気清浄化装置は、（吸気システムを備える）キャビンの１つの空気の入り口に配置されるか、あるいは、適切な場合、これら空気の入り口のいくつかまたは全てに配置される。したがって、ＨＦは、実質的にキャビンに全く入らない。
【００４６】
通常、吸気システムは、空気を、キャビンの外部からキャビンの内部へ移動するのに適合した導管を備える。送風手段または送風機は、吸気システムに含まれてもよく、吸気システムは、キャビンの外部を向く吸気口と、キャビンの内部を向く排気口とを備える。その場合、空気清浄化装置を、吸気口と排気口との間の任意の場所に配置することができる。
【００４７】
通常、１つ、数個または全ての空気の入り口は、車両のエンジン室付近に位置する。例えば、多くの自動車において、空気の入り口はフロントガラスとフードとの間に位置する。この場合、空気の入り口が空調回路と近接しているために、ＨＦ放出によるキャビンの潜在的な汚染のリスクがやや高くなる。したがって、本発明に従う１つ以上の空気清浄化システムをこのような空気の入り口に配置することは特に好適である。
【００４８】
花粉または他の微粒子あるいはガス状汚染物質などの他の汚染物質を、キャビンに入る空気から除去することは、多くの場合望ましいことである。したがって、本発明の空気清浄化システムは、（ＨＦを除去するためのろ過材に加えて）このような花粉または汚染物質の除去に適合した他のフィルタを備えてもよい。このような追加的フィルタの例について、米国特許出願公開第２００７／００３２１８６号明細書を参照することができる。
【国際調査報告】
2015514616.tif 000002
2015514616.tif 000003